(57)【要約】【課題】開口を広げることができる防音ドア設置構造を提供する。【解決手段】防音ドア設置構造Ｄは、ドア枠１０と、防音ドア２０と、戸当り３０とを備える。戸当り３０は、上側横戸当り材３１、下側横戸当り材３２、左側縦戸当り材３３、及び右側縦戸当り材３４で構成されている。左側縦戸当り材３３及び右側縦戸当り材３４のうちの少なくとも一方は、上側横戸当り材３１と下側横戸当り材３２との間に上下が挟まれるように設けられているとともに、ドア枠１０に脱着可能に構成されている、又は、上側横戸当り材３１及び下側横戸当り材３２のうちの少なくとも一方は、左側縦戸当り材３３と右側縦戸当り材３４との間に左右が挟まれるように設けられているとともに、ドア枠１０に脱着可能に構成されている。【選択図】図１Ｂ
2019178494.tif 000002
【特許請求の範囲】
【請求項１】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記左側縦戸当り材及び前記右側縦戸当り材のうちの少なくとも一方は、前記上側横戸当り材と前記下側横戸当り材との間に上下が挟まれるように設けられているとともに、前記ドア枠に脱着可能に構成されていることを特徴とする防音ドア設置構造。
【請求項２】
請求項１に記載された防音ドア設置構造において、
前記左側縦戸当り材及び前記右側縦戸当り材のいずれも、前記上側横戸当り材と前記下側横戸当り材との間に上下が挟まれるように設けられており、且つ前記上側横戸当り材、前記下側横戸当り材、前記左側縦戸当り材、及び前記右側縦戸当り材のいずれも、前記ドア枠に脱着可能に構成されていることを特徴とする防音ドア設置構造。
【請求項３】
請求項１又は２に記載された防音ドア設置構造において、
前記上側横戸当り材と前記下側横戸当り材との間に上下が挟まれるように設けられた前記左側縦戸当り材及び前記右側縦戸当り材のうちの少なくとも一方と前記上側横戸当り材との間、及び／又は、前記下側横戸当り材との間にシール材が介設されていることを特徴とする防音ドア設置構造。
【請求項４】
請求項３に記載された防音ドア設置構造において、
前記シール材が、前記上側横戸当り材と前記下側横戸当り材との間に上下が挟まれるように設けられた前記左側縦戸当り材及び前記右側縦戸当り材のうちの少なくとも一方の上端及び／又は下端に一体に設けられていることを特徴とする防音ドア設置構造。
【請求項５】
請求項３又は４に記載された防音ドア設置構造において、
前記シール材の当たり材当接面に摩擦係数を低減する表面処理が施されていることを特徴とする防音ドア設置構造。
【請求項６】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記上側横戸当り材及び前記下側横戸当り材のうちの少なくとも一方は、前記左側縦戸当り材と前記右側縦戸当り材との間に左右が挟まれるように設けられているとともに、前記ドア枠に脱着可能に構成されていることを特徴とする防音ドア設置構造。
【請求項７】
請求項６に記載された防音ドア設置構造において、
前記上側横戸当り材及び前記下側横戸当り材のいずれも、前記左側縦戸当り材と前記右側縦戸当り材との間に左右が挟まれるように設けられており、且つ前記上側横戸当り材、前記下側横戸当り材、前記左側縦戸当り材、及び前記右側縦戸当り材のいずれも、前記ドア枠に脱着可能に構成されていることを特徴とする防音ドア設置構造。
【発明の詳細な説明】
【技術分野】
【０００１】
本発明は、防音ドア設置構造に関する。
【背景技術】
【０００２】
楽器練習室やカラオケルーム等の防音室の出入口には防音ドアが設けられる。かかる防音ドアの設置構造として、例えば、特許文献１には、防音効果を高めるため、ドア枠の内周に沿って設けられた戸当りにマグネットパッキンを取り付け、それに接触する防音ドアの部分に磁性シートを設けたものが開示されている。
【先行技術文献】
【特許文献】
【０００３】
【特許文献１】特開２０１７−１７９８９３号公報
【発明の概要】
【発明が解決しようとする課題】
【０００４】
ところで、防音室には楽器や機材を搬入することが多いが、大型の楽器や機材の場合、搬入口の開口が狭いと、それらの搬入ができないという事態が生じ得る。
【０００５】
本発明の課題は、開口を広げることができる防音ドア設置構造を提供することである。
【課題を解決するための手段】
【０００６】
上記課題を解決するために、本発明では、戸当りを、上側横戸当り材、下側横戸当り材、左側縦戸当り材、及び右側縦戸当り材で構成し、左側縦戸当り材及び右側縦戸当り材のうちの少なくとも一方を、上側横戸当り材と下側横戸当り材との間に上下が挟まれるように設けるとともに、ドア枠に脱着可能に構成した。また、上側横戸当り材及び下側横戸当り材のうちの少なくとも一方を、左側縦戸当り材と右側縦戸当り材との間に上下が挟まれるように設けるとともに、ドア枠に脱着可能に構成した。
【０００７】
具体的には、請求項１に係る発明は、上側横枠部、下側横枠部、左側縦枠部、及び右側縦枠部で構成されたドア枠と、前記ドア枠に対して開閉可能に設けられた開き戸の防音ドアと、前記ドア枠の内側の全周に設けられた戸当りとを備えた防音ドア設置構造であって、前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、前記左側縦戸当り材及び前記右側縦戸当り材のうちの少なくとも一方は、前記上側横戸当り材と前記下側横戸当り材との間に上下が挟まれるように設けられているとともに、前記ドア枠に脱着可能に構成されていることを特徴とする。
【０００８】
上記の構成によれば、戸当りが、上側横戸当り材、下側横戸当り材、左側縦戸当り材、及び右側縦戸当り材で構成され、そして、左側縦戸当り材及び右側縦戸当り材のうちの少なくとも一方が、上側横戸当り材と下側横戸当り材との間に上下が挟まれるように設けられているとともに、ドア枠に脱着可能に構成されているので、左側縦戸当り材及び／又は右側縦戸当り材をドア枠から取り外すことにより、防音ドア設置構造の開口を広げることができる。
【０００９】
請求項２に係る発明は、請求項１に記載された防音ドア設置構造において、前記左側縦戸当り材及び前記右側縦戸当り材のいずれも、前記上側横戸当り材と前記下側横戸当り材との間に上下が挟まれるように設けられており、且つ前記上側横戸当り材、前記下側横戸当り材、前記左側縦戸当り材、及び前記右側縦戸当り材のいずれも、前記ドア枠に脱着可能に構成されていることを特徴とする。
【００１０】
上記の構成によれば、左側縦戸当り材及び右側縦戸当り材のいずれも、上側横戸当り材と下側横戸当り材との間に上下が挟まれるように設けられており、且つ上側横戸当り材、下側横戸当り材、左側縦戸当り材、及び右側縦戸当り材のいずれも、ドア枠に脱着可能に構成されているので、左側縦戸当り材及び右側縦戸当り材のうちの一方だけを取り外す態様、左側縦戸当り材及び右側縦戸当り材だけを取り外す態様、左側縦戸当り材及び右側縦戸当り材の両方に加えて上側横戸当り材及び下側横戸当り材のうちの一方だけを取り外す態様、並びに上側横戸当り材、下側横戸当り材、左側縦戸当り材、及び右側縦戸当り材を含む戸当り全体を取り外す態様のうちから、必要となる防音ドア設置構造の開口の広さに合わせて取り外し態様を選択することができる。
【００１１】
請求項３に係る発明は、請求項１又は２に記載された防音ドア設置構造において、前記上側横戸当り材と前記下側横戸当り材との間に上下が挟まれるように設けられた前記左側縦戸当り材及び前記右側縦戸当り材のうちの少なくとも一方と前記上側横戸当り材との間、及び／又は、前記下側横戸当り材との間にシール材が介設されていることを特徴とする。
【００１２】
上記の構成によれば、上側横戸当り材と下側横戸当り材との間に上下が挟まれるように設けられた左側縦戸当り材及び右側縦戸当り材のうちの少なくとも一方と上側横戸当り材との間、及び／又は、下側横戸当り材との間にシール材が介設されているので、それらの間が封止されることとなり、そこからの音漏れを抑制することができる。
【００１３】
請求項４に係る発明は、請求項３に記載された防音ドア設置構造において、前記シール材が、前記上側横戸当り材と前記下側横戸当り材との間に上下が挟まれるように設けられた前記左側縦戸当り材及び前記右側縦戸当り材のうちの少なくとも一方の上端及び／又は下端に一体に設けられていることを特徴とする。
【００１４】
上記の構成によれば、シール材が、上側横戸当り材と下側横戸当り材との間に上下が挟まれるように設けられた左側縦戸当り材及び右側縦戸当り材のうちの少なくとも一方の上端及び／又は下端に一体に設けられているので、左側縦戸当り材及び右側縦戸当り材のうちの少なくとも一方を、ドア枠に予め取り付けた上側横戸当り材と下側横戸当り材との間にシール材を圧縮しながら嵌め入れることにより、ドア枠に容易に取り付けることができる。
【００１５】
請求項５に係る発明は、請求項３又は４に記載された防音ドア設置構造において、前記シール材の当たり材当接面に摩擦係数を低減する表面処理が施されていることを特徴とする。
【００１６】
上記の構成によれば、シール材の当たり材当接面に摩擦係数を低減する表面処理が施されているので、左側縦戸当り材及び右側縦戸当り材のうちの少なくとも一方のドア枠からの取り外しを容易に行うことができる。
【００１７】
請求項６に係る発明は、上側横枠部、下側横枠部、左側縦枠部、及び右側縦枠部で構成されたドア枠と、前記ドア枠に対して開閉可能に設けられた開き戸の防音ドアと、前記ドア枠の内側の全周に設けられた戸当りとを備えた防音ドア設置構造であって、前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、前記上側横戸当り材及び前記下側横戸当り材のうちの少なくとも一方は、前記左側縦戸当り材と前記右側縦戸当り材との間に左右が挟まれるように設けられているとともに、前記ドア枠に脱着可能に構成されていることを特徴とする。
【００１８】
上記の構成によれば、戸当りが、上側横戸当り材、下側横戸当り材、左側縦戸当り材、及び右側縦戸当り材で構成され、そして、上側横戸当り材及び下側横戸当り材のうちの少なくとも一方が、左側縦戸当り材と右側縦戸当り材との間に左右が挟まれるように設けられているとともに、ドア枠に脱着可能に構成されているので、上側横戸当り材及び／又は下側横戸当り材をドア枠から取り外すことにより、防音ドア設置構造の開口を広げることができる。
【００１９】
請求項７に係る発明は、請求項６に記載された防音ドア設置構造において、前記上側横戸当り材及び前記下側横戸当り材のいずれも、前記左側縦戸当り材と前記右側縦戸当り材との間に左右が挟まれるように設けられており、且つ前記上側横戸当り材、前記下側横戸当り材、前記左側縦戸当り材、及び前記右側縦戸当り材のいずれも、前記ドア枠に脱着可能に構成されていることを特徴とする。
【００２０】
上記の構成によれば、上側横戸当り材及び下側横戸当り材のいずれも、左側縦戸当り材と右側縦戸当り材との間に左右が挟まれるように設けられており、且つ上側横戸当り材、下側横戸当り材、左側縦戸当り材、及び右側縦戸当り材のいずれも、ドア枠に脱着可能に構成されているので、上側横戸当り材及び下側横戸当り材のうちの一方だけを取り外す態様、上側横戸当り材及び下側横戸当り材だけを取り外す態様、上側横戸当り材及び下側横戸当り材の両方に加えて左側縦戸当り材及び右側縦戸当り材のうちの一方だけを取り外す態様、並びに上側横戸当り材、下側横戸当り材、左側縦戸当り材、及び右側縦戸当り材を含む戸当り全体を取り外す態様のうちから、必要となる防音ドア設置構造の開口の広さに合わせて取り外し態様を選択することができる。
【発明の効果】
【００２１】
本発明によれば、防音ドア設置構造の開口を広げることができる。
【図面の簡単な説明】
【００２２】
【図１Ａ】実施形態１に係る防音ドア設置構造の防音ドアを閉じた状態の正面図である。
【図１Ｂ】実施形態１に係る防音ドア設置構造の防音ドアを開いた状態の正面図である。
【図１Ｃ】実施形態１に係る防音ドア設置構造の防音ドアを閉じた状態の縦断面図である。
【図１Ｄ】実施形態１に係る防音ドア設置構造の防音ドアを閉じた状態の横断面図である。
【図２Ａ】上側横戸当り材の正面図である。
【図２Ｂ】上側横戸当り材の左側面図である。
【図３Ａ】下側横戸当り材の正面図である。
【図３Ｂ】下側横戸当り材の左側面図である。
【図４Ａ】左（右）側縦戸当り材の正面図である。
【図４Ｂ】左（右）側縦戸当り材の上（下）面図である。
【図５】実施形態１に係る防音ドア設置構造のドア枠への戸当りの取付構造を示す正面図である。
【図６Ａ】パッキンの正面図である。
【図６Ｂ】パッキンの断面図である。
【図７】実施形態１に係る防音ドア設置構造の戸当りへのパッキンの取付構造を示す正面図である。
【図８Ａ】実施形態１に係る防音ドア設置構造の戸当り及び防音ドアを取り外した状態の正面図である。
【図８Ｂ】実施形態１に係る防音ドア設置構造の戸当りだけを取り外した状態の正面図である。
【図９】実施形態２に係る防音ドア設置構造のドア枠への戸当りの取付構造を示す正面図である。
【図１０】実施形態２に係る防音ドア設置構造の戸当りへのパッキンの取付構造を示す正面図である。
【発明を実施するための形態】
【００２３】
以下、実施形態について図面に基づいて詳細に説明する。
【００２４】
（実施形態１）
図１Ａ〜Ｄは、実施形態１に係る防音ドア設置構造Ｄを示す。なお、以下では、図１Ａ及びＢに示す実施形態１に係る防音ドア設置構造Ｄの正面を基準とした方向を用いて説明する。
【００２５】
実施形態１に係る防音ドア設置構造Ｄは、ドア枠１０と、防音ドア２０と、戸当り３０と、パッキン４０とを備える。
【００２６】
ドア枠１０は、上側横枠材１１（上側横枠部）、下側横枠材１２（下側横枠部）、左側縦枠材１３（左側縦枠部）、及び右側縦枠材１４（右側縦枠部）で構成されている。上側横枠材１１、下側横枠材１２、左側縦枠材１３、及び右側縦枠材１４は、同一幅の板状の角材で構成されている。上側横枠材１１及び下側横枠材１２は、相対的に短尺であって、水平で且つ平行に延びるように設けられている。左側縦枠材１３及び右側縦枠材１４は、相対的に長尺であって、鉛直で且つ平行に延びるように設けられている。
【００２７】
上側横枠材１１及び下側横枠材１２のそれぞれでは、左右両端面が、それぞれ長さ方向に対して垂直な平坦面に形成されている。上側横枠材１１は、左側端面が左側縦枠材１３の上側端部に当接するとともに、右側端面が右側縦枠材１４の上側端部に当接することにより、左側縦枠材１３と右側縦枠材１４との間に左右が挟まれるように設けられ、図示しない釘等の固定具により左側縦枠材１３及び右側縦枠材１４のそれぞれに固定されている。下側横枠材１２は、左側端面が左側縦枠材１３の下側端部に当接するとともに、右側端面が右側縦枠材１４の下側端部に当接することにより、左側縦枠材１３と右側縦枠材１４との間に左右が挟まれるように設けられ、図示しない釘等の固定具により左側縦枠材１３及び右側縦枠材１４のそれぞれに固定されている。これにより、ドア枠１０は、縦長矩形の開口を有する。
【００２８】
上側横枠材１１の下面、下側横枠材１２の上面、左側縦枠材１３の右側面、及び右側縦枠材１４の左側面のそれぞれの幅方向の中央部には、長さ方向に延びるように形成された断面コの字状の戸当り材設置溝１１１，１２１，１３１，１４１が設けられている。これらの戸当り材設置溝１１１，１２１，１３１，１４１は、ドア枠１０の内側の全周に連続するように設けられている。戸当り材設置溝１１１，１２１，１３１，１４１の溝内には、長さ方向に間隔をおいて複数のネジ受け具１１２，１２２，１３２，１４２が設けられている。
【００２９】
防音ドア２０は、ドア本体２１がドア枠１０の開口よりもやや小さい縦長矩形の開き戸で構成されている。防音ドア２０は、ドア本体２１の右側端辺部が、上下方向に間隔をおいて設けられた蝶番２２を介して、ドア枠１０の右側縦枠材１４に脱着可能に取り付けられている。これにより、防音ドア２０は、ドア枠１０に対して開閉可能に設けられている。なお、ドア本体２１の左側端部の上下方向の中央部には、ラッチの没入及び突出による防音ドア２０の開閉を操作するためのレバーハンドル２３が設けられている。
【００３０】
戸当り３０は、ドア枠１０の内側の全周に設けられている。そして、戸当り３０は、ドア枠１０の上側横枠材１１、下側横枠材１２、左側縦枠材１３、及び右側縦枠材１４にそれぞれ対応して設けられた上側横戸当り材３１、下側横戸当り材３２、左側縦戸当り材３３、及び右側縦戸当り材３４で構成されている。なお、この戸当り３０は、防音ドア２０を閉じたときの背面側への過剰な変位を規制する。
【００３１】
図２Ａ及びＢは、上側横戸当り材３１を示す。
【００３２】
上側横戸当り材３１は、ドア枠１０の開口幅よりも１ｍｍ程度短い角材で構成されている。上側横戸当り材３１には、上面側両角部のそれぞれに段差が形成されており、それらの段差間の長さ方向に延びるように形成された薄層状の突条により溝嵌め部３１１が構成されている。溝嵌め部３１１は、上側横枠材１１の戸当り材設置溝１１１に嵌められるように設けられている。なお、溝嵌め部３１１の幅は、戸当り材設置溝１１１よりも若干小さく、それにより上側横戸当り材３１の前後方向の設置位置の微調整を行うことができるように構成されている。
【００３３】
上側横戸当り材３１には、上側横枠材１１の戸当り材設置溝１１１のネジ受け具１１２に対応して、長さ方向に間隔をおいて設けられた複数のネジ挿通孔３１２が厚さ方向に貫通して形成されている。ネジ挿通孔３１２は、下面側の大径の円筒孔と上面側の小径の円筒孔とが同軸で連通して構成されている。そして、上側横戸当り材３１は、固定ネジ３１３がネジ挿通孔３１２の下面側から挿入されるとともに、固定ネジ３１３の頭部がネジ挿通孔３１２の大径の円筒孔と小径の円筒孔との段差に係合し、且つ固定ネジ３１３の先端部が上側横枠材１１の戸当り材設置溝１１１内のネジ受け具１１２に締め込まれることにより、ドア枠１０の上側横枠材１１に物理的に取り付けられている。したがって、上側横戸当り材３１は、固定ネジ３１３の先端部のネジ受け具１１２への締め込みを緩めて外すことにより上側横枠材１１から取り外すことができることから、ドア枠１０の上側横枠材１１に脱着可能に構成されている。なお、固定ネジ３１３を締めた後のネジ挿通孔３１２には、下面側の開口を封じるように、脱着可能な孔隠しキャップ３１４が内嵌めされている。
【００３４】
上側横戸当り材３１の左右両端面のそれぞれは、長さ方向に対して垂直な平坦面に形成されている。上側横戸当り材３１は、左側縦枠材１３と右側縦枠材１４との間に左右が挟まれるように設けられており、また、上側横戸当り材３１の左端及び右端のそれぞれには、厚さが約５ｍｍの板状のシール材３１５が一体に設けられている。したがって、上側横戸当り材３１の左端面と左側縦枠材１３の右側面との間及び上側横戸当り材３１の右端面と右側縦枠材１４の左側面との間のそれぞれには、シール材３１５が圧縮された状態で介設されている。このように上側横戸当り材３１と左側縦枠材１３との間及び上側横戸当り材３１と右側縦枠材１４との間のそれぞれにシール材３１５が介設されているので、それらの間が封止されることとなり、そこからの音漏れを抑制することができる。また、シール材３１５が上側横戸当り材３１の左端及び右端に一体に設けられているので、上側横戸当り材３１を、ドア枠１０の左側縦枠材１３と右側縦枠材１４との間にシール材３１５を圧縮しながら嵌め入れることにより、ドア枠１０の上側横枠材１１に容易に取り付けることができる。
【００３５】
シール材３１５としては、例えば、ＥＰＤＭ等のスポンジゴムで形成された板状ゴム等を用いることができる。また、上側横戸当り材３１のドア枠１０からの取り外しを容易に行うことができるようにする観点からは、シール材３１５の枠材当接面には、摩擦係数を低減する表面処理が施されていることが好ましい。かかる表面処理としては、例えばポリウレタン系樹脂によるコーティング等が挙げられる。
【００３６】
上側横戸当り材３１の防音ドア２０側の前面の幅方向の中央部には、長さ方向に延びるように形成された断面コの字状のパッキン取付横溝３１６が設けられている。また、上側横戸当り材３１の前面の左側及び右側の両端部のそれぞれには、厚さ方向に延びるように形成された断面コの字状のパッキン取付縦溝３１７がパッキン取付横溝３１６と交差するように設けられている。
【００３７】
図３Ａ及びＢは、下側横戸当り材３２を示す。
【００３８】
下側横戸当り材３２は、いわゆる沓摺であって、ドア枠１０の開口幅よりも１ｍｍ程度短い板状の軸材で構成されている。下側横戸当り材３２は、防音ドア２０側の前面側部分３２ａが断面矩形に形成されているとともに、背面側部分３２ｂが、上面が背面側に行くのに伴って下側横枠材１２に近づく傾斜面に形成された断面三角形に形成されている。下側横戸当り材３２には、下面側両角部のそれぞれに段差が形成されており、前面側部分３２ａに対応して、それらの段差間の長さ方向に延びるように形成された薄層状の突条により溝嵌め部３２１が構成されている。溝嵌め部３２１は、下側横枠材１２の戸当り材設置溝１２１に嵌められるように設けられている。なお、溝嵌め部３２１の幅は、戸当り材設置溝１２１よりも若干小さく、それにより下側横戸当り材３２の前後方向の設置位置の微調整を行うことができるように構成されている。
【００３９】
下側横戸当り材３２には、前面側部分３２ａに、下側横枠材１２の戸当り材設置溝１２１のネジ受け具１２２に対応して、長さ方向に間隔をおいて設けられた複数のネジ挿通孔３２２が厚さ方向に貫通して形成されている。ネジ挿通孔３２２は、上面側の大径の円筒孔と下面側の小径の円筒孔とが同軸で連通して構成されている。そして、下側横戸当り材３２は、固定ネジ３２３がネジ挿通孔３２２の下面側から挿入されるとともに、固定ネジ３２３の頭部がネジ挿通孔３２２の大径の円筒孔と小径の円筒孔との段差に係合し、且つ固定ネジ３２３の先端部が下側横枠材１２の戸当り材設置溝１２１内のネジ受け具１２２に締め込まれることにより、ドア枠１０の下側横枠材１２に物理的に取り付けられている。したがって、下側横戸当り材３２は、固定ネジ３２３の先端部のネジ受け具１２２への締め込みを緩めて外すことにより下側横枠材１２から取り外すことができることから、ドア枠１０の下側横枠材１２に脱着可能に構成されている。なお、固定ネジ３２３を締めた後のネジ挿通孔３２２には、上面側の開口を封じるように、脱着可能な孔隠しキャップ３２４が内嵌めされている。
【００４０】
下側横戸当り材３２の左右両端面のそれぞれは、長さ方向に対して垂直な平坦面に形成されている。下側横戸当り材３２は、左側縦枠材１３と右側縦枠材１４との間に左右が挟まれるように設けられており、また、下側横戸当り材３２の左端及び右端のそれぞれには、厚さが約５ｍｍの板状のシール材３２５が一体に設けられている。したがって、下側横戸当り材３２の左端面と左側縦枠材１３の右側面との間及び下側横戸当り材３２の右端面と右側縦枠材１４の左側面との間のそれぞれには、シール材３２５が圧縮された状態で介設されている。このように下側横戸当り材３２と左側縦枠材１３との間及び下側横戸当り材３２と右側縦枠材１４との間のそれぞれにシール材３２５が介設されているので、それらの間が封止されることとなり、そこからの音漏れを抑制することができる。また、シール材３２５が下側横戸当り材３２の左端及び右端に一体に設けられているので、下側横戸当り材３２を、ドア枠１０の左側縦枠材１３と右側縦枠材１４との間にシール材３２５を圧縮しながら嵌め入れることにより、ドア枠１０の下側横枠材１２に容易に取り付けることができる。シール材３２５としては、上側横戸当り材３１に設けられたものと同一構成のものを用いることができる。
【００４１】
下側横戸当り材３２の防音ドア２０側の前面の幅方向の中央部には、長さ方向に延びるように形成された断面コの字状のパッキン取付横溝３２６が設けられている。また、下側横戸当り材３２の前面の左側及び右側の両端部のそれぞれには、厚さ方向に延びるように形成された断面コの字状のパッキン取付縦溝３２７がパッキン取付横溝３２６と交差するように設けられている。
【００４２】
図４Ａ及びＢは、左側縦戸当り材３３を示す。
【００４３】
左側縦戸当り材３３は、ドア枠１０の上側横枠材１１に取り付けられた上側横戸当り材３１の下面と下側横枠材１２に取り付けられた下側横戸当り材３２の上面との間の間隔よりも１ｍｍ程度短い角材で構成されている。左側縦戸当り材３３には、左側面側両角部のそれぞれに段差が形成されており、それらの段差間の長さ方向に延びるように形成された薄層状の突条により溝嵌め部３３１が構成されている。溝嵌め部３３１は、左側縦枠材１３の戸当り材設置溝１３１に嵌められるように設けられている。なお、溝嵌め部３３１の幅は、戸当り材設置溝１３１よりも若干小さく、それにより左側縦戸当り材３３の前後方向の設置位置の微調整を行うことができるように構成されている。
【００４４】
左側縦戸当り材３３には、左側縦枠材１３の戸当り材設置溝１３１のネジ受け具１３２に対応して、長さ方向に間隔をおいて設けられた複数のネジ挿通孔３３２が厚さ方向に貫通して形成されている。ネジ挿通孔３３２は、右側面側の大径の円筒孔と左側面側の小径の円筒孔とが同軸で連通して構成されている。そして、左側縦戸当り材３３は、固定ネジ３３３がネジ挿通孔３３２の右側面側から挿入されるとともに、固定ネジ３３３の頭部がネジ挿通孔３３２の大径の円筒孔と小径の円筒孔との段差に係合し、且つ固定ネジ３３３の先端部が左側縦枠材１３の戸当り材設置溝１３１内のネジ受け具１３２に締め込まれることにより、ドア枠１０の左側縦枠材１３に物理的に取り付けられている。したがって、左側縦戸当り材３３は、固定ネジ３３３の先端部のネジ受け具１３２への締め込みを緩めて外すことにより左側縦枠材１３から取り外すことができることから、ドア枠１０の左側縦枠材１３に脱着可能に構成されている。なお、固定ネジ３３３を締めた後のネジ挿通孔３３２には、右側面側の開口を封じるように、脱着可能な孔隠しキャップ３３４が内嵌めされている。
【００４５】
左側縦戸当り材３３の上下両端面のそれぞれは、長さ方向に対して垂直な平坦面に形成されている。左側縦戸当り材３３は、上側横戸当り材３１と下側横戸当り材３２との間に上下が挟まれるように設けられており、また、左側縦戸当り材３３の上端及び下端のそれぞれには、厚さが約５ｍｍの板状のシール材３３５が一体に設けられている。したがって、左側縦戸当り材３３の上端面と上側横戸当り材３１の下面との間及び左側縦戸当り材３３の下端面と下側横戸当り材３２の上面との間のそれぞれには、シール材３３５が圧縮された状態で介設されている。このように左側縦戸当り材３３と上側横戸当り材３１との間及び左側縦戸当り材３３と下側横戸当り材３２との間のそれぞれにシール材３３５が介設されているので、それらの間が封止されることとなり、そこからの音漏れを抑制することができる。また、シール材３３５が左側縦戸当り材３３の上端及び下端に一体に設けられているので、左側縦戸当り材３３を、ドア枠１０に予め取り付けた上側横戸当り材３１と下側横戸当り材３２との間にシール材３３５を圧縮しながら嵌め入れることにより、ドア枠１０の左側縦枠材１３に容易に取り付けることができる。
【００４６】
シール材３３５としては、例えば、ＥＰＤＭ等のスポンジゴムで形成された板状ゴム等を用いることができる。また、左側縦戸当り材３３のドア枠１０からの取り外しを容易に行うことができるようにする観点からは、シール材３３５の戸当り材当接面には、摩擦係数を低減する表面処理が施されていることが好ましい。かかる表面処理としては、例えばポリウレタン系樹脂によるコーティング等が挙げられる。
【００４７】
左側縦戸当り材３３の防音ドア２０側の前面の幅方向の中央部には、長さ方向に延びるように形成された断面コの字状のパッキン取付縦溝３３７が設けられている。
【００４８】
右側縦戸当り材３４は、左側縦戸当り材３３と左右対称に形成されており、ドア枠１０の上側横枠材１１に取り付けられた上側横戸当り材３１の下面と下側横枠材１２に取り付けられた下側横戸当り材３２の上面との間の間隔よりも１ｍｍ程度短い角材で構成されている。右側縦戸当り材３４には、図４Ａ及びＢに示すように、右側面側両角部のそれぞれに段差が形成されており、それらの段差間の長さ方向に延びるように形成された薄層状の突条により溝嵌め部３４１が構成されている。溝嵌め部３４１は、右側縦枠材１４の戸当り材設置溝１４１に嵌められるように設けられている。なお、溝嵌め部３４１の幅は、戸当り材設置溝１４１よりも若干小さく、それにより右側縦戸当り材３４の前後方向の設置位置の微調整を行うことができるように構成されている。
【００４９】
右側縦戸当り材３４には、右側縦枠材１４の戸当り材設置溝１４１のネジ受け具１４２に対応して、長さ方向に間隔をおいて設けられた複数のネジ挿通孔３４２が厚さ方向に貫通して形成されている。ネジ挿通孔３４２は、左側面側の大径の円筒孔と右側面側の小径の円筒孔とが同軸で連通して構成されている。そして、右側縦戸当り材３４は、固定ネジ３４３がネジ挿通孔３４２の左側面側から挿入されるとともに、固定ネジ３４３の頭部がネジ挿通孔３４２の大径の円筒孔と小径の円筒孔との段差に係合し、且つ固定ネジ３４３の先端部が右側縦枠材１４の戸当り材設置溝１４１内のネジ受け具１４２に締め込まれることにより、ドア枠１０の右側縦枠材１４に物理的に取り付けられている。したがって、右側縦戸当り材３４は、固定ネジ３４３の先端部のネジ受け具１４２への締め込みを緩めて外すことにより右側縦枠材１４から取り外すことができることから、ドア枠１０の右側縦枠材１４に脱着可能に構成されている。なお、固定ネジ３４３を締めた後のネジ挿通孔３４２には、左側面側の開口を封じるように、脱着可能な孔隠しキャップ３４４が内嵌めされている。
【００５０】
右側縦戸当り材３４の上下両端面のそれぞれは、長さ方向に対して垂直な平坦面に形成されている。右側縦戸当り材３４は、上側横戸当り材３１と下側横戸当り材３２との間に上下が挟まれるように設けられており、また、右側縦戸当り材３４の上端及び下端のそれぞれには、厚さが約５ｍｍの板状のシール材３４５が一体に設けられている。したがって、右側縦戸当り材３４の上端面と上側横戸当り材３１の下面との間及び右側縦戸当り材３４の下端面と下側横戸当り材３２の上面との間のそれぞれには、シール材３４５が圧縮された状態で介設されている。このように右側縦戸当り材３４と上側横戸当り材３１との間及び右側縦戸当り材３４と下側横戸当り材３２との間のそれぞれにシール材３４５が介設されているので、それらの間が封止されることとなり、そこからの音漏れを抑制することができる。また、シール材３４５が右側縦戸当り材３４の上端及び下端に一体に設けられているので、右側縦戸当り材３４を、ドア枠１０に予め取り付けた上側横戸当り材３１と下側横戸当り材３２との間にシール材３４５を圧縮しながら嵌め入れることにより、ドア枠１０の右側縦枠材１４に容易に取り付けることができる。シール材３４５としては、左側縦戸当り材３３に設けられたものと同一構成のものを用いることができる。
【００５１】
右側縦戸当り材３４の防音ドア２０側の前面の幅方向の中央部には、長さ方向に延びるように形成された断面コの字状のパッキン取付縦溝３４７が設けられている。
【００５２】
ドア枠１０の内側に設けられた戸当り３０では、図５に示すように、上側横戸当り材３１の左端のシール材３１５が左側縦枠材１３に及び右端のシール材３１５が右側縦枠材１４にそれぞれ当接して圧縮された状態で設けられている。下側横戸当り材３２の左端のシール材３２５が左側縦枠材１３に及び右端のシール材３２５が右側縦枠材１４にそれぞれ当接して圧縮された状態で設けられている。左側縦戸当り材３３の上端のシール材３３５が上側横戸当り材３１に及び下端のシール材３３５が下側横戸当り材３２にそれぞれ当接して圧縮された状態で設けられている。右側縦戸当り材３４の上端のシール材３４５が上側横戸当り材３１に及び下端のシール材３４５が下側横戸当り材３２にそれぞれ当接して圧縮された状態で設けられている。
【００５３】
また、上側横戸当り材３１の左側端部のパッキン取付縦溝３１７及び下側横戸当り材３２の左側端部のパッキン取付縦溝３２７のそれぞれが左側縦戸当り材３３のパッキン取付縦溝３３７と連続しているとともに、上側横戸当り材３１の右側端部のパッキン取付縦溝３１７及び下側横戸当り材３２の右側端部のパッキン取付縦溝３２７のそれぞれが右側縦戸当り材３４のパッキン取付縦溝３４７と連続している。そして、これにより、戸当り３０の前面には、四隅に十字状の交差部を有するロの字状のパッキン取付部が構成されている。
【００５４】
図６Ａ及びＢはパッキン４０を示す。
【００５５】
パッキン４０は、ＥＰＤＭ等で形成された長尺のゴム部材で構成されている。パッキン４０は、スポンジゴムで形成されたパッキン本体４１と、ソリッドゴムで形成された支持部４２及び取付部４３とで構成されている。パッキン本体４１は、前面側に膨出する断面弓形の弓形部４１ａと、その幅方向の一方端に連続して側方に延びるように設けられたヒレ部４１ｂとを有する。支持部４２は、平板状に形成されており、パッキン本体４１の弓形部４１ａの背面側に、その幅方向の両端がそれぞれ結合して一体に設けられている。取付部４３は、矩形筒状に形成されており、支持部４２の背面側の幅方向の中央部に一体に設けられている。取付部４３の幅方向の両側のそれぞれには、側方に突出するように形成された一対の係合部４４が間隔をおいて一体に設けられている。
【００５６】
パッキン４０は、戸当り３０に対し、パッキン本体４１のヒレ部４１ｂがドア枠１０に接触するように配置されるとともに、取付部４３がパッキン取付横溝３１６，３２６又はパッキン取付縦溝３１７，３２７，３３７，３４７に挿入されて係合部４４が溝側壁に当接することにより弾性的に係合し、且つ戸当り３０の前面に支持部４２の背面が当接するように設けられて物理的に取り付けられている。したがって、パッキン４０は、戸当り３０に対して脱着可能に構成されている。
【００５７】
パッキン４０は、図７に示すように、戸当り３０に対して４分割して設けられている。具体的には、第１のパッキン４０は、上端及び下端のそれぞれがドア枠１０に当接するように配置され、上側横戸当り材３１の左側端部、左側縦戸当り材３３、及び下側横戸当り材３２の左側端部に連続したパッキン取付縦溝３１７，３３７，３２７に取り付けられている。したがって、第１のパッキン４０は、上側横戸当り材３１、左側縦戸当り材３３、及び下側横戸当り材３２を掛け渡すとともに、上側横戸当り材３１と左側縦戸当り材３３との接合部及び左側縦戸当り材３３と下側横戸当り材３２との接合部を覆うように設けられている。第２のパッキン４０は、上端及び下端のそれぞれがドア枠１０に当接するように配置され、上側横戸当り材３１の右側端部、右側縦戸当り材３４、及び下側横戸当り材３２の右側端部に連続したパッキン取付縦溝３１７，３４７，３２７に取り付けられている。したがって、第２のパッキン４０は、上側横戸当り材３１、右側縦戸当り材３４、及び下側横戸当り材３２を掛け渡すとともに、上側横戸当り材３１と右側縦戸当り材３４との接合部及び右側縦戸当り材３４と下側横戸当り材３２との接合部を覆うように設けられている。第３のパッキン４０は、左端が第１のパッキン４０及び右端が第２のパッキン４０にそれぞれ当接するように配置され、上側横戸当り材３１のパッキン取付横溝３１６に取り付けられている。第４のパッキン４０は、左端が第１のパッキン４０及び右端が第２のパッキン４０にそれぞれ当接するように配置され、下側横戸当り材３２のパッキン取付横溝３２６に取り付けられている。
【００５８】
パッキン４０は、防音ドア２０が閉状態のとき、パッキン本体４１の弓形部４１ａが防音ドア２０のドア本体２１の背面に弾性的に当接し、それにより戸当り３０と防音ドア２０との間が封止されることとなり、そこからの音漏れを抑制する。また、パッキン４０は、パッキン本体４１のヒレ部４１ｂがドア枠１０に弾性的に当接し、それによりドア枠１０と戸当り３０との間が封止されることとなり、そこからの音漏れを抑制する。実施形態１に係る防音ドア設置構造Ｄでは、これらのパッキン４０による音漏れ抑制機構が、戸当り３０の全周に渡って構成されている。
【００５９】
以上の構成の実施形態１に係る防音ドア設置構造Ｄにおいて、室内に大型の楽器や機材を搬入する場合、例えば、まず、防音ドア２０をドア枠１０の右側縦枠材１４から取り外す。
【００６０】
次いで、上側横戸当り材３１の左側端部、左側縦戸当り材３３、及び下側横戸当り材３２の左側端部に連続したパッキン取付縦溝３１７，３３７，３２７に取り付けられた第１のパッキン４０を取り外す。
【００６１】
次いで、左側縦戸当り材３３について、ネジ挿通孔３３２から孔隠しキャップ３３４を外した後、固定ネジ３３３の先端部のネジ受け具１３２への締め込みを緩めて外し、溝嵌め部３３１の左側縦枠材１３の戸当り材設置溝１３１への嵌め込みを外すように右側に移動させてドア枠１０の左側縦枠材１３から取り外す。
【００６２】
次いで、上側横戸当り材３１の右側端部、右側縦戸当り材３４、及び下側横戸当り材３２の右側端部に連続したパッキン取付縦溝３１７，３４７，３２７に取り付けられた第２のパッキン４０を取り外す。
【００６３】
次いで、右側縦戸当り材３４についても同様に、ネジ挿通孔３４２から孔隠しキャップ３４４を外した後、固定ネジ３４３の先端部のネジ受け具１４２への締め込みを緩めて外し、溝嵌め部３４１の右側縦枠材１４の戸当り材設置溝１４１への嵌め込みを外すように左側に移動させてドア枠１０の右側縦枠材１４から取り外す。
【００６４】
続いて、上側横戸当り材３１について、ネジ挿通孔３１２から孔隠しキャップ３１４を外した後、固定ネジ３１３の先端部のネジ受け具１１２への締め込みを緩めて外し、溝嵌め部３１１の上側横枠材１１の戸当り材設置溝１１１への嵌め込みを外すように下側に移動させてドア枠１０の上側横枠材１１から取り外す。このとき、第３のパッキン４０の取り外しは特に必要ではない。
【００６５】
そして、下側横戸当り材３２についても同様に、ネジ挿通孔３２２から孔隠しキャップ３２４を外した後、固定ネジ３２３の先端部のネジ受け具１２２への締め込みを緩めて外し、溝嵌め部３２１の下側横枠材１２の戸当り材設置溝１２１への嵌め込みを外すように上側に移動させてドア枠１０の下側横枠材１２から取り外す。このとき、第４のパッキン４０の取り外しも特に必要ではない。
【００６６】
以上のようにして、実施形態１に係る防音ドア設置構造Ｄにおいて、図８Ａに示すように、防音ドア２０及び戸当り３０を取り外すことができ、それによって防音ドア設置構造Ｄの開口をドア枠１０の開口まで広げることができる。その結果、ドア枠１０の開口の範囲内の大きさであれば、室内への大型の楽器や機材等の搬入を容易に行うことができる。
【００６７】
また、左側縦戸当り材３３及び右側縦戸当り材３４のいずれも、上側横戸当り材３１と下側横戸当り材３２との間に上下が挟まれるように設けられているとともに、上側横戸当り材３１、下側横戸当り材３２、左側縦戸当り材３３、及び右側縦戸当り材３４のいずれも、ドア枠１０に脱着可能に構成されていることから、上側横戸当り材３１、下側横戸当り材３２、左側縦戸当り材３３、及び右側縦戸当り材３４を含む戸当り３０全体を取り外す態様の他、左側縦戸当り材３３及び右側縦戸当り材３４のうちの一方だけを取り外す態様、左側縦戸当り材３３及び右側縦戸当り材３４だけを取り外す態様、左側縦戸当り材３３及び右側縦戸当り材３４の両方に加えて上側横戸当り材３１及び下側横戸当り材３２のうちの一方だけを取り外す態様のうちから、必要となる防音ドア設置構造Ｄの開口の広さに合わせて取り外し態様を選択することもできる。
【００６８】
さらに、戸当り３０の上側横戸当り材３１、下側横戸当り材３２、左側縦戸当り材３３、及び右側縦戸当り材３４のいずれかが傷付いて交換が必要な場合でも、いずれもドア枠１０に脱着可能に構成されていることから、容易にメンテナンスを行うことができる。
【００６９】
防音ドア２０及び戸当り３０を取り付けて元に戻す際には、逆の手順で取り付けを行えばよい。また、防音ドア２０の取り外しは、戸当り材取り外し途中段階又は最後に行ってもよい。左側縦戸当り材３３及び右側縦戸当り材３４の取り外しは、右側縦戸当り材３４及び左側縦戸当り材３３の順に行ってもよい。上側横戸当り材３１及び下側横戸当り材３２の取り外しは、下側横戸当り材３２及び上側横戸当り材３１の順に行ってもよい。さらに、防音ドア２０の取り外しが必要でない場合には、図８Ｂに示すように、戸当り３０だけを外してもよい。
【００７０】
（実施形態２）
図９は、実施形態２に係る防音ドア設置構造Ｄのドア枠１０への戸当り３０の取付構造を示す。また、図１０は、実施形態２に係る防音ドア設置構造Ｄの戸当り３０へのパッキン４０の取付構造を示す。なお、実施形態１と同一名称の部分は、実施形態１と同一符号を用いて示す。
【００７１】
実施形態２に係る防音ドア設置構造Ｄでは、戸当り３０の上側横戸当り材３１及び下側横戸当り材３２のそれぞれが、左側縦戸当り材３３と右側縦戸当り材３４との間に左右が挟まれるように設けられ、且つ上側横戸当り材３１、下側横戸当り材３２、左側縦戸当り材３３、及び右側縦戸当り材３４のいずれも、ドア枠１０に脱着可能に構成されている。
【００７２】
上側横戸当り材３１は、ドア枠１０の左側縦枠材１３に取り付けられた左側縦戸当り材３３の右側面と右側縦枠材１４に取り付けられた右側縦戸当り材３４の左側面との間の間隔よりも１ｍｍ程度短い角材で構成されている。下側横戸当り材３２は、ドア枠１０の左側縦枠材１３に取り付けられた左側縦戸当り材３３の右側面と右側縦枠材１４に取り付けられた右側縦戸当り材３４の左側面との間の間隔よりも１ｍｍ程度短い板状の軸材で構成されている。
【００７３】
左側縦戸当り材３３及び右側縦戸当り材３４のそれぞれは、ドア枠１０の開口高さよりも１ｍｍ程度短い角材で構成されている。左側縦戸当り材３３の防音ドア２０側の前面の上側及び下側の両端部のそれぞれには、厚さ方向に延びるように形成された断面コの字状のパッキン取付横溝３３６がパッキン取付縦溝３３７と交差するように設けられている。同様に、右側縦戸当り材３４の防音ドア２０側の前面の上側及び下側の両端部のそれぞれには、厚さ方向に延びるように形成された断面コの字状のパッキン取付横溝３４６がパッキン取付縦溝３４７と交差するように設けられている。
【００７４】
ドア枠１０の内側に設けられた戸当り３０では、左側縦戸当り材３３の上端のシール材３３５が上側横枠材１１に及び下端のシール材３３５が下側横枠材１２にそれぞれ当接して圧縮された状態で設けられている。右側縦戸当り材３４の上端のシール材３４５が上側横枠材１１に及び下端のシール材３４５が下側横枠材１２にそれぞれ当接して圧縮された状態で設けられている。上側横戸当り材３１の左端のシール材３１５が左側縦戸当り材３３に及び右端のシール材３１５が右側縦戸当り材３４にそれぞれ当接して圧縮された状態で設けられている。下側横戸当り材３２の左端のシール材３２５が左側縦戸当り材３３に及び右端のシール材３２５が右側縦戸当り材３４にそれぞれ当接して圧縮された状態で設けられている。
【００７５】
また、左側縦戸当り材３３の上側端部のパッキン取付横溝３３６及び右側縦戸当り材３４の上側端部のパッキン取付横溝３４６のそれぞれが上側横戸当り材３１のパッキン取付横溝３１６と連続しているとともに、左側縦戸当り材３３の下側端部のパッキン取付横溝３３６及び右側縦戸当り材３４の下側端部のパッキン取付横溝３４６のそれぞれが下側横戸当り材３２のパッキン取付横溝３２６と連続している。そして、これにより、戸当り３０の前面には、四隅に十字状の交差部を有するロの字状のパッキン取付部が構成されている。
【００７６】
パッキン４０は、戸当り３０に対し、パッキン本体４１のヒレ部４１ｂがドア枠１０に接触するように配置されるとともに、取付部４３がパッキン取付横溝３１６，３２６，３３６，３４６又はパッキン取付縦溝３１７，３２７，３３７，３４７に挿入されて係合部４４が溝側壁に当接することにより弾性的に係合し、且つ戸当り３０の前面に支持部４２の背面が当接するように設けられて物理的に取り付けられている。したがって、パッキン４０は、戸当り３０に対して脱着可能に構成されている。
【００７７】
パッキン４０は、戸当り３０に対して４分割して設けられている。具体的には、第１のパッキン４０は、左端及び右端のそれぞれがドア枠１０に当接するように配置され、左側縦戸当り材３３の上側端部、上側横戸当り材３１、及び右側縦戸当り材３４の上側端部に連続したパッキン取付横溝３３６，３１６，３４６に取り付けられている。したがって、第１のパッキン４０は、左側縦戸当り材３３、上側横戸当り材３１、及び右側縦戸当り材３４を掛け渡すとともに、左側縦戸当り材３３と上側横戸当り材３１との接合部及び上側横戸当り材３１と右側縦戸当り材３４との接合部を覆うように設けられている。第２のパッキン４０は、左端及び右端のそれぞれがドア枠１０に当接するように配置され、左側縦戸当り材３３の下側端部、下側横戸当り材３２、及び右側縦戸当り材３４の下側端部に連続したパッキン取付横溝３３６，３２６，３４６に取り付けられている。したがって、第２のパッキン４０は、左側縦戸当り材３３、下側横戸当り材３２、及び右側縦戸当り材３４を掛け渡すとともに、左側縦戸当り材３３と下側横戸当り材３２との接合部及び下側横戸当り材３２と右側縦戸当り材３４との接合部を覆うように設けられている。第３のパッキン４０は、上端が第１のパッキン４０及び下端が第２のパッキン４０にそれぞれ当接するように配置され、左側縦戸当り材３３のパッキン取付縦溝３３７に取り付けられている。第４のパッキン４０は、上端が第１のパッキン４０及び下端が第２のパッキン４０にそれぞれ当接するように配置され、右側縦戸当り材３４のパッキン取付縦溝３４７に取り付けられている。
【００７８】
以上の構成の実施形態２に係る防音ドア設置構造Ｄにおいて、室内に大型の楽器や機材を搬入する場合、例えば、まず、防音ドア２０をドア枠１０の右側縦枠材１４から取り外す。
【００７９】
次いで、左側縦戸当り材３３の上側端部、上側横戸当り材３１、及び右側縦戸当り材３４の上側端部に連続したパッキン取付横溝３３６，３１６，３４６に取り付けられた第１のパッキン４０を取り外す。
【００８０】
次いで、上側横戸当り材３１について、ネジ挿通孔３１２から孔隠しキャップ３１４を外した後、固定ネジ３１３の先端部のネジ受け具１１２への締め込みを緩めて外し、溝嵌め部３１１の左側縦枠材１１の戸当り材設置溝１１１への嵌め込みを外すように下側に移動させてドア枠１０の上側横枠材１１から取り外す。
【００８１】
次いで、左側縦戸当り材３３の下側端部、下側横戸当り材３２、及び右側縦戸当り材３４の下側端部に連続したパッキン取付横溝３３６，３２６，３４６に取り付けられた第２のパッキン４０を取り外す。
【００８２】
次いで、下側横戸当り材３２についても同様に、ネジ挿通孔３２２から孔隠しキャップ３２４を外した後、固定ネジ３２３の先端部のネジ受け具１２２への締め込みを緩めて外し、溝嵌め部３２１の下側横枠材１２の戸当り材設置溝１２１への嵌め込みを外すように上側に移動させてドア枠１０の下側横枠材１２から取り外す。
【００８３】
続いて、左側縦戸当り材３３について、ネジ挿通孔３３２から孔隠しキャップ３３４を外した後、固定ネジ３３３の先端部のネジ受け具１３２への締め込みを緩めて外し、溝嵌め部３３１の左側縦枠材１３の戸当り材設置溝１３１への嵌め込みを外すように右側に移動させてドア枠１０の左側縦枠材１３から取り外す。このとき、第３のパッキン４０の取り外しは特に必要ではない。
【００８４】
そして、右側縦戸当り材３４についても同様に、ネジ挿通孔３４２から孔隠しキャップ３４４を外した後、固定ネジ３４３の先端部のネジ受け具１４２への締め込みを緩めて外し、溝嵌め部３４１の右側縦枠材１４の戸当り材設置溝１４１への嵌め込みを外すように左側に移動させてドア枠１０の左側縦枠材１４から取り外す。このとき、第４のパッキン４０の取り外しも特に必要ではない。
【００８５】
以上のようにして、実施形態２に係る防音ドア設置構造Ｄにおいて、防音ドア２０及び戸当り３０を取り外すことができ、それによって防音ドア設置構造Ｄの開口をドア枠１０の開口まで広げることができる。その結果、ドア枠１０の開口の範囲内の大きさであれば、室内への大型の楽器や機材等の搬入を容易に行うことができる。
【００８６】
また、上側横戸当り材３１及び下側横戸当り材３２のいずれも、左側縦戸当り材３３と右側縦戸当り材３４との間に左右が挟まれるように設けられているとともに、上側横戸当り材３１、下側横戸当り材３２、左側縦戸当り材３３、及び右側縦戸当り材３４のいずれも、ドア枠１０に脱着可能に構成されていることから、上側横戸当り材３１、下側横戸当り材３２、左側縦戸当り材３３、及び右側縦戸当り材３４を含む戸当り３０全体を取り外す態様の他、上側横戸当り材３１及び下側横戸当り材３２のうちの一方だけを取り外す態様、上側横戸当り材３１及び下側横戸当り材３２だけを取り外す態様、上側横戸当り材３１及び下側横戸当り材３２の両方に加えて左側縦戸当り材３３及び右側縦戸当り材３４のうちの一方だけを取り外す態様のうちから、必要となる防音ドア設置構造Ｄの開口の広さに合わせて取り外し態様を選択することもできる。
【００８７】
防音ドア２０及び戸当り３０を取り付けて元に戻す際には、逆の手順で取り付けを行えばよい。また、防音ドア２０の取り外しは、戸当り材取り外し途中段階又は最後に行ってもよい。上側横戸当り材３１及び下側横戸当り材３２の取り外しは、下側横戸当り材３２及び上側横戸当り材３１の順に行ってもよい。左側縦戸当り材３３及び右側縦戸当り材３４の取り外しは、右側縦戸当り材３４及び左側縦戸当り材３３の順に行ってもよい。さらに、防音ドア２０の取り外しが必要でない場合には、戸当り３０だけを外してもよい。
【００８８】
その他の構成及び作用効果は実施形態１と同一である。
【００８９】
（その他の実施形態）
上記実施形態１及び２では、上側横戸当り材３１、下側横戸当り材３２、左側縦戸当り材３３、及び右側縦戸当り材３４のいずれも、ドア枠１０に脱着可能に構成された構成としたが、特にこれに限定されるものではなく、左側縦戸当り材３３及び右側縦戸当り材３４のうちの少なくとも一方が、上側横戸当り材３１と下側横戸当り材３２との間に上下が挟まれるように設けられている、又は、上側横戸当り材３１及び下側横戸当り材３２のうちの少なくとも一方が、左側縦戸当り材３３と右側縦戸当り材３４との間に左右が挟まれるように設けられているとともに、ドア枠１０に脱着可能に構成されていれば、防音ドア設置構造Ｄの開口を広げることができるという効果を得ることができる。
【００９０】
上記実施形態１及び２では、ドア枠１０の右側縦枠材１４に取り付けられた構成としたが、特にこれに限定されるものではなく、ドア枠１０の左側縦枠材１３に取り付けられた構成であってもよい。
【００９１】
上記実施形態１では、上側横戸当り材３１及び下側横戸当り材３２の左端及び右端にシール材３１５，３２５が一体に設けられた構成としたが、特にこれに限定されるものではなく、ドア枠１０の左側縦枠材１３及び／又は右側縦枠材１４の戸当り材当接部にシール材３１５，３２５が一体に設けられた構成であってもよい。また、上記実施形態１では、左側縦戸当り材３３及び右側縦戸当り材３４の上端及び下端にシール材３３５，３４５が一体に設けられた構成としたが、特にこれに限定されるものではなく、上側横戸当り材３１及び／又は下側横戸当り材３２の戸当り材当接部にシール材３３５，３４５が一体に設けられた構成であってもよい。
【００９２】
同様に、上記実施形態２では、左側縦戸当り材３３及び右側縦戸当り材３４の上端及び下端にシール材３３５，３４５が一体に設けられた構成としたが、特にこれに限定されるものではなく、ドア枠１０の上側横枠材１１及び／又は下側横枠材１２の戸当り材当接部にシール材３３５，３４５が一体に設けられた構成であってもよい。また、上記実施形態２では、上側横戸当り材３１及び下側横戸当り材３２の左端及び右端にシール材３１５，３２５が一体に設けられた構成としたが、特にこれに限定されるものではなく、左側縦戸当り材３３及び／又は右側縦戸当り材３４の戸当り材当接部にシール材３１５，３２５が一体に設けられた構成であってもよい。
【産業上の利用可能性】
【００９３】
本発明は、防音ドア設置構造の技術分野について有用である。
【符号の説明】
【００９４】
Ｄ  防音ドア設置構造
１０  ドア枠
１１  上側横枠材（上側横枠部）
１１１，１２１，１３１，１４１  戸当り材設置溝
１１２，１２２，１３２，１４２  ネジ受け具
１２  下側横枠材（下側横枠部）
１３  左側縦枠材（左側縦枠部）
１４  右側縦枠材（右側縦枠部）
２０  防音ドア
２１  ドア本体
２２  蝶番
２３  レバーハンドル
３０  戸当り
３１  上側横戸当り材
３１１、３２１，３３１，３４１  溝嵌め部
３１２，３２２，３３２，３４２  ネジ挿通孔
３１３，３２３，３３３，３４３  固定ネジ
３１４，３２４，３３４，３４４  孔隠しキャップ
３１５，３２５，３３５，３４５  シール材
３１６，３２６，３３６，３４６  パッキン取付横溝
３１７，３２７，３３７，３４７  パッキン取付縦溝
３２  下側横戸当り材
３２ａ  前面側部分
３２ｂ  背面側部分
３３  左側縦戸当り材
３４  右側縦戸当り材
４０  パッキン
４１  パッキン本体
４１ａ  弓形部    
４１ｂ  ヒレ部
４２  支持部
４３  取付部
４４  係合部
【図１Ａ】
2019178494.tif 000003
【図１Ｂ】
2019178494.tif 000004
【図１Ｃ】
2019178494.tif 000005
【図１Ｄ】
2019178494.tif 000006
【図２Ａ】
2019178494.tif 000007
【図２Ｂ】
2019178494.tif 000008
【図３Ａ】
2019178494.tif 000009
【図３Ｂ】
2019178494.tif 000010
【図４Ａ】
2019178494.tif 000011
【図４Ｂ】
2019178494.tif 000012
【図５】
2019178494.tif 000013
【図６Ａ】
2019178494.tif 000014
【図６Ｂ】
2019178494.tif 000015
【図７】
2019178494.tif 000016
【図８Ａ】
2019178494.tif 000017
【図８Ｂ】
2019178494.tif 000018
【図９】
2019178494.tif 000019
【図１０】
2019178494.tif 000020
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記左側縦戸当り材及び前記右側縦戸当り材のうちの少なくとも一方は、前記上側横戸当り材と前記下側横戸当り材との間に上下が挟まれるように設けられているとともに、固定ネジが係合して前記ドア枠に設けられたネジ受け具に締め込まれることにより、前記ドア枠に脱着可能に取り付けられていることを特徴とする防音ドア設置構造。
【請求項２】
請求項１に記載された防音ドア設置構造において、
前記左側縦戸当り材及び前記右側縦戸当り材のいずれも、前記上側横戸当り材と前記下側横戸当り材との間に上下が挟まれるように設けられており、且つ前記上側横戸当り材、前記下側横戸当り材、前記左側縦戸当り材、及び前記右側縦戸当り材のいずれも、前記ドア枠に脱着可能に構成されていることを特徴とする防音ドア設置構造。
【請求項３】
請求項１又は２に記載された防音ドア設置構造において、
前記上側横戸当り材と前記下側横戸当り材との間に上下が挟まれるように設けられた前記左側縦戸当り材及び前記右側縦戸当り材のうちの少なくとも一方と前記上側横戸当り材との間、及び／又は、前記下側横戸当り材との間にシール材が介設されていることを特徴とする防音ドア設置構造。
【請求項４】
請求項３に記載された防音ドア設置構造において、
前記シール材が、前記上側横戸当り材と前記下側横戸当り材との間に上下が挟まれるように設けられた前記左側縦戸当り材及び前記右側縦戸当り材のうちの少なくとも一方の上端及び／又は下端に一体に設けられていることを特徴とする防音ドア設置構造。
【請求項５】
請求項３又は４に記載された防音ドア設置構造において、
前記シール材の当たり材当接面に摩擦係数を低減する表面処理が施されていることを特徴とする防音ドア設置構造。
【請求項６】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記左側縦戸当り材及び前記右側縦戸当り材のうちの少なくとも一方は、前記上側横戸当り材と前記下側横戸当り材との間に上下が挟まれるように設けられているとともに、前記ドア枠に脱着可能に構成されており、
前記上側横戸当り材と前記下側横戸当り材との間に上下が挟まれるように設けられた前記左側縦戸当り材及び前記右側縦戸当り材のうちの少なくとも一方と前記上側横戸当り材との間、及び／又は、前記下側横戸当り材との間にシール材が介設されていることを特徴とする防音ドア設置構造。
【請求項７】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記上側横戸当り材及び前記下側横戸当り材のうちの少なくとも一方は、前記左側縦戸当り材と前記右側縦戸当り材との間に左右が挟まれるように設けられているとともに、固定ネジが係合して前記ドア枠に設けられたネジ受け具に締め込まれることにより、前記ドア枠に脱着可能に取り付けられていることを特徴とする防音ドア設置構造。
【請求項８】
請求項７に記載された防音ドア設置構造において、
前記上側横戸当り材及び前記下側横戸当り材のいずれも、前記左側縦戸当り材と前記右側縦戸当り材との間に左右が挟まれるように設けられており、且つ前記上側横戸当り材、前記下側横戸当り材、前記左側縦戸当り材、及び前記右側縦戸当り材のいずれも、前記ドア枠に脱着可能に構成されていることを特徴とする防音ドア設置構造。
【請求項９】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記上側横戸当り材及び前記下側横戸当り材のうちの少なくとも一方は、前記左側縦戸当り材と前記右側縦戸当り材との間に左右が挟まれるように設けられているとともに、前記ドア枠に脱着可能に構成されており、
前記左側縦戸当り材と前記右側縦戸当り材との間に左右が挟まれるように設けられた前記上側横戸当り材及び前記下側横戸当り材のうちの少なくとも一方と前記左側縦戸当り材との間、及び／又は、前記右側縦戸当り材との間にシール材が介設されていることを特徴とする防音ドア設置構造。
【手続補正書】
【提出日】令和1年6月18日(2019.6.18)
【手続補正１】
【補正対象書類名】明細書
【補正対象項目名】０００６
【補正方法】変更
【補正の内容】
【０００６】
請求項１に係る発明は、上側横枠部、下側横枠部、左側縦枠部、及び右側縦枠部で構成されたドア枠と、前記ドア枠に対して開閉可能に設けられた開き戸の防音ドアと、前記ドア枠の内側の全周に設けられた戸当りとを備えた防音ドア設置構造であって、前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、前記左側縦戸当り材及び前記右側縦戸当り材のうちの少なくとも一方は、前記上側横戸当り材と前記下側横戸当り材との間に上下が挟まれるように設けられているとともに、前記ドア枠に脱着可能に構成されており、前記上側横戸当り材と前記下側横戸当り材との間に上下が挟まれるように設けられた前記左側縦戸当り材及び前記右側縦戸当り材のうちの少なくとも一方と前記上側横戸当り材との間、及び／又は、前記下側横戸当り材との間にシール材が介設されていることを特徴とする。
【手続補正２】
【補正対象書類名】明細書
【補正対象項目名】０００７
【補正方法】変更
【補正の内容】
【０００７】
請求項２に係る発明は、上側横枠部、下側横枠部、左側縦枠部、及び右側縦枠部で構成されたドア枠と、前記ドア枠に対して開閉可能に設けられた開き戸の防音ドアと、前記ドア枠の内側の全周に設けられた戸当りとを備えた防音ドア設置構造であって、前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、前記上側横戸当り材及び前記下側横戸当り材のうちの少なくとも一方は、前記左側縦戸当り材と前記右側縦戸当り材との間に左右が挟まれるように設けられているとともに、前記ドア枠に脱着可能に構成されており、前記左側縦戸当り材と前記右側縦戸当り材との間に左右が挟まれるように設けられた前記上側横戸当り材及び前記下側横戸当り材のうちの少なくとも一方と前記左側縦戸当り材との間、及び／又は、前記右側縦戸当り材との間にシール材が介設されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
本発明によれば、防音ドア設置構造の開口を広げることができる。また、シール材による封止により、音漏れを抑制することができる。
【手続補正１７】
【補正対象書類名】特許請求の範囲
【補正対象項目名】全文
【補正方法】変更
【補正の内容】
【特許請求の範囲】
【請求項１】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記左側縦戸当り材及び前記右側縦戸当り材のうちの少なくとも一方は、前記上側横戸当り材と前記下側横戸当り材との間に上下が挟まれるように設けられているとともに、前記ドア枠に脱着可能に構成されており、
前記上側横戸当り材と前記下側横戸当り材との間に上下が挟まれるように設けられた前記左側縦戸当り材及び前記右側縦戸当り材のうちの少なくとも一方と前記上側横戸当り材との間、及び／又は、前記下側横戸当り材との間にシール材が介設されていることを特徴とする防音ドア設置構造。
【請求項２】
上側横枠部、下側横枠部、左側縦枠部、及び右側縦枠部で構成されたドア枠と、
前記ドア枠に対して開閉可能に設けられた開き戸の防音ドアと、
前記ドア枠の内側の全周に設けられた戸当りと、
を備えた防音ドア設置構造であって、
前記戸当りは、前記ドア枠の前記上側横枠部、前記下側横枠部、前記左側縦枠部、及び前記右側縦枠部にそれぞれ対応して設けられた上側横戸当り材、下側横戸当り材、左側縦戸当り材、及び右側縦戸当り材で構成されており、
前記上側横戸当り材及び前記下側横戸当り材のうちの少なくとも一方は、前記左側縦戸当り材と前記右側縦戸当り材との間に左右が挟まれるように設けられているとともに、前記ドア枠に脱着可能に構成されており、
前記左側縦戸当り材と前記右側縦戸当り材との間に左右が挟まれるように設けられた前記上側横戸当り材及び前記下側横戸当り材のうちの少なくとも一方と前記左側縦戸当り材との間、及び／又は、前記右側縦戸当り材との間にシール材が介設されていることを特徴とする防音ドア設置構造。